(57)【特許請求の範囲】
【請求項１】
柱の側面部に固着されたアゴ掛け接合金物のアゴ掛け板部と、梁に固着された第２接合金物のプレート部とが、梁の端面に開くスリット内に重なり配置状態となるように差し込まれ、
梁の端部にスリットを貫通するように側方から打ち込まれた１本のアゴ掛けピンがアゴ掛け板部のアゴ掛け部に掛けられると共に、少なくとも１本の第２ピンがスリット内のアゴ掛け板部を貫通するように打ち込まれて柱と梁とが接合され、かつ、
水平振動により前記第２ピンがアゴ掛けピンに先行して破断するようになされて、該破断によりアゴ掛け板部と第２接合金物のプレート部とがアゴ掛けピンを軸に相対回転変位をするようになされていると共に、それらの間にそれらの相対回転変位を抑制する振動エネルギー吸収手段が備えられていることを特徴とする柱梁制振接合構造。
【請求項２】
柱の側面部に固着された第１接合金物のプレート部と、梁に固着された第２接合金物のプレート部とが、梁の端面に開くスリット内に重なり配置状態となるように差し込まれ、
梁の端部にスリット内の第１接合金物のプレート部を貫通するように側方から打ち込まれた１本の第１ピンと少なくとも１本の第２ピンによって柱と梁とが接合され、かつ、
水平振動により前記第２ピンが第１ピンに先行して破断するようになされて、該破断により第１接合金物のプレート部と第２接合金物のプレート部とが第１ピンを軸に相対回転変位をするようになされていると共に、それらの間にそれらの相対回転変位を抑制する振動エネルギー吸収手段が備えられていることを特徴とする柱梁制振接合構造。
【発明の詳細な説明】
【技術分野】
【０００１】
本発明は、柱梁等の軸組材同士の制振接合構造に関する。
【背景技術】
【０００２】
例えば木造軸組構造の建物における柱梁接合構造として、木柱の側面部に固着したアゴ掛け接合金物のアゴ掛け板部を、木梁の端面に開くスリット内に差し込み、梁の端部にスリットを貫通するように側方から打ち込まれたアゴ掛けピンをアゴ掛け板部のアゴ掛け部に掛け、そして、梁の端部に例えば２本のロックピンをスリット内のアゴ掛け板部を貫通するように打ち込んで柱と梁を接合したものは、従来より提供されている。
【発明の開示】
【発明が解決しようとする課題】
【０００３】
しかしながら、上記のような接合構造では、巨大地震が起こると、地震による水平振動で建物が大きく変形し、ロックピンもアゴ掛けピンも破断して、建物が崩壊してしまうおそれがある。
【０００４】
本発明は、上記のような問題点に鑑み、ピン接合式でありながら、巨大地震による建物の崩壊を抑制することができる柱梁等の軸組材同士の接合構造を提供することを課題とする。
【課題を解決するための手段】
【０００５】
上記の課題は、第１軸組材と第２軸組材とが１本の第１ピンと少なくとも１本の第２ピンによって接合されると共に、振動により前記第２ピンが第１ピンに先行して破断するようになされて、該破断により両軸組材が第１ピンを軸に相対回転変位をするようになされており、かつ、両軸組材の相対回転変位を抑制する振動エネルギー吸収手段が備えられていることを特徴とする軸組材同士の制振接合構造によって解決される（第１発明）。
【０００６】
この接合構造では、巨大地震による振動で第２ピンが破断すると、両軸組材が１本の第１ピンを軸に相対回転変位を起こすが、振動エネルギー吸収手段によって両軸組材の相対回転変位は抑えられ、それによって、建物の大きな変形による崩壊が抑制される。
【０００７】
また、上記の課題は、柱の側面部に固着されたアゴ掛け接合金物のアゴ掛け板部と、梁に固着された第２接合金物のプレート部とが、梁の端面に開くスリット内に重なり配置状態となるように差し込まれ、
梁の端部にスリットを貫通するように側方から打ち込まれた１本のアゴ掛けピンがアゴ掛け板部のアゴ掛け部に掛けられると共に、少なくとも１本の第２ピンがスリット内のアゴ掛け板部を貫通するように打ち込まれて柱と梁とが接合され、かつ、
水平振動により前記第２ピンがアゴ掛けピンに先行して破断するようになされて、該破断によりアゴ掛け板部と第２接合金物のプレート部とがアゴ掛けピンを軸に相対回転変位をするようになされていると共に、それらの間にそれらの相対回転変位を抑制する振動エネルギー吸収手段が備えられていることを特徴とする柱梁制振接合構造によって解決される（第２発明）。
【０００８】
この接合構造は、木造軸組構造において用いられるアゴ掛け接合金物を使用して柱梁を接合する場合のもので、同様に、巨大地震による水平振動で第２ピンが破断すると、アゴ掛け板部と第２接合金物のプレート部とが１本のアゴ掛けピンを軸に相対回転変位を起こすが、振動エネルギー吸収手段によってアゴ掛け板部と第２接合金物のプレート部との相対回転変位は抑えられ、それによって、建物の大きな変形による崩壊が抑制される。
【０００９】
なお、振動エネルギー吸収手段としては、アゴ掛け板部と第２接合金物のプレート部との間に粘性材や粘弾性材を設け、該粘性材、粘弾性材でアゴ掛け板部と第２接合金物のプレート部との相対回転変位を抑制するようにしたものや、アゴ掛け板部と第２接合金物のプレート部との相対回転変位を摩擦力で抑制するようにした摩擦減衰機構などが採用される。
【００１０】
しかも、第２発明の構造では、アゴ掛け接合金物のほか、第２接合金物を用い、アゴ掛け板部と第２接合金物のプレート部との間に振動エネルギー吸収手段を備えさせるようにしているので、アゴ掛け板部と第２接合金物のプレート部との間に振動エネルギー吸収手段を備えさせた、アゴ掛け接合金物と第２接合金物との複合金物を使用して、柱と梁を制振接合することが可能となり、柱梁接合部への振動エネルギー吸収手段の組込みを施工容易に行うことができる。
【００１１】
そして、アゴ掛け板部も、第２接合金物のプレート部も、振動エネルギー吸収手段も、梁の端面に開くスリット内に収められる構造であるから、柱梁接合部を外観上スッキリとしたものにすることができる。
【００１２】
また、上記の課題は、柱の側面部に固着された第１接合金物のプレート部と、梁に固着された第２接合金物のプレート部とが、梁の端面に開くスリット内に重なり配置状態となるように差し込まれ、
梁の端部にスリット内の第１接合金物のプレート部を貫通するように側方から打ち込まれた１本の第１ピンと少なくとも１本の第２ピンによって柱と梁とが接合され、かつ、
水平振動により前記第２ピンが第１ピンに先行して破断するようになされて、該破断により第１接合金物のプレート部と第２接合金物のプレート部とが第１ピンを軸に相対回転変位をするようになされていると共に、それらの間にそれらの相対回転変位を抑制する振動エネルギー吸収手段が備えられていることを特徴とする柱梁制振接合構造によっても解決される（第３発明）。
【００１３】
即ち、巨大地震による水平振動で第２ピンが破断すると、第１，第２の接合金物のプレート部同士が第１ピンを軸に相対回転変位を起こすが、振動エネルギー吸収手段によってプレート部同士の相対回転変位は抑えられ、それによって、建物の大きな変形による崩壊が抑制され、しかも、第１，第２の接合金物のプレート部間に振動エネルギー吸収手段を備えさせた、両接合金物からなる複合金物を使用して、柱と梁を制振接合することが可能となり、柱梁接合部への振動エネルギー吸収手段の組込みを施工容易に行うことができ、加えて、第１，第２の接合金物のプレート部も、振動エネルギー吸収手段も、梁の端面に開くスリット内に収められた外観スッキリの柱梁接合部を形成することができる。
【発明の効果】
【００１４】
本発明は、以上のとおりのものであるから、ピン接合式でありながら、巨大地震による建物の崩壊を抑制することができる。
【発明を実施するための最良の形態】
【００１５】
次に、本発明の実施最良形態を図面に基づいて説明する。
【００１６】
図１及び図２に示す実施形態の制振接合構造は、木造軸組構造の柱梁の接合に用いた場合のもので、１は第１軸組材としての木柱、２は第２軸組材としての木梁、３はアゴ掛け接合金物、４は第２接合金物、５は第１ピンとしてのアゴ掛けピン、６，６は第２ピンとしてのロックピン、７は振動エネルギー吸収手段としての粘性材であり、梁２の端部には、柱１との接合のため、端面に開く上下方向に貫通の２本のスリット８，８が互いに平行に形成されると共に、アゴ掛けピン５とロックピン６，６とを通す水平な孔２ａ，２ｂ…がスリット８，８内を貫通するように設けられている。
【００１７】
アゴ掛け接合金物３は、金属板をコの字形に成形したもので、各側辺部３ａ，３ａを対のアゴ掛け板部として、各アゴ掛け板部３ａ，３ａの先端側には下寄りに位置して上方に開くアゴ掛け部３ｂ，３ｂが備えられると共に、各アゴ掛け板部３ａ，３ａの面内には対応する位置において上下２つのロックピン差込み孔３ｃ，３ｃが備えられ、中間板部３ｄを柱１への取付け部とし、各アゴ掛け板部３ａ，３ａを梁２の端面に開口するスリット８，８内に差し込むことができるようになされている。
【００１８】
また、第２接合金物４は、平面視コの字形をして下端部が底板部４ａで閉じられた金属板成形品からなっており、各側辺部４ｂ，４ｂを対のプレート部とし、各プレート部４ｂ，４ｂの面内には、アゴ掛け板部３ａに設けられたロックピン差込み孔３ｃ…に対応する上下２つのロックピン差込み孔４ｃ…が備えられ、底板部４ａを梁２への取付け部としている。
【００１９】
そして、該第２接合金物４は、図２（ロ）に示すように、各プレート部４ｂ，４ｂがアゴ掛け板部３ａ，３ａの内面側に重なり状態となるようにアゴ掛け接合金物３内に嵌め込むことができるようになされ、図２（ハ）に示すように、第２接合金物４のプレート部４ｂ…とアゴ掛け板部３ａ…との間に粘性材７，７による層が設けられて、アゴ掛け接合金物３と第２接合金物４と粘性材７とからなる複合金物９を構成している。
【００２０】
なお、この複合金物９において、ピン差込み孔３ｃ…，４ｃ…は、プレート部４ｂとアゴ掛け板部３ａとの重なり部分の面内に位置し、アゴ掛け板部３ａのアゴ掛け部３ｂは、図１（イ）に示すように、プレート部４ｂの外に張り出し、アゴ掛けピン５がプレート部４ｂから距離をおいてアゴ掛け部３ｂに掛けられるようになされている。
【００２１】
また、各ロックピン６の外周部には環状溝６ａ，６ａが設けられ、該ロックピン６は、該環状溝部６ａ，６ａを強度劣弱部として、地震による水平振動でアゴ掛けピン５に先行して破断されるようにされている。
【００２２】
そして、柱１と梁２とは、上記の複合金物９と、アゴ掛けピン５と、ロックピン６，６とを用いて次のようにして接合されている。即ち、複合金物９を、そのアゴ掛け接合金物３の中間板部３ｄをビス１０…で柱１の側面部に固着状態に取り付けることで柱１に取り付けておくと共に、アゴ掛けピン５を予め梁２の端部にスリット８，８内を貫通するように側方から打ち込んでおく。そして、梁２の端部を、柱１の複合金物９の上方から下降させ、アゴ掛け接合金物３の各アゴ掛け板部３ａ，３ａ及び第２接合金物４の各プレート部４ｂ，４ｂを、梁２の各スリット８，８内に差し込み、アゴ掛けピン５をアゴ掛け板部３ａ，３ａのアゴ掛け部３ｂ，３ｂに掛けた状態にして、梁２を柱１に保持させる。しかる後、第２接合金物４の底板部４ａをビス１０…で梁２に固着状態に取り付けると共に、ロックピン６，６を側方から梁２の端部に側方から差し込めば、接合完了である。
【００２３】
上記の柱梁接合構造では、巨大地震による水平振動で各ロックピン６，６がアゴ掛けピン５に先行して破断をする。すると、図３（イ）（ロ）に示すように、アゴ掛け板部３ａ，３ａと第２接合金物４のプレート部４ｂ，４ｂとが１本のアゴ掛けピン５を軸に相対回転変位を起こすが、粘性材７によってアゴ掛け板部３ａと第２接合金物４のプレート部４ｂとの相対回転変位は抑えられ、それによって、大きな変形が抑えられ、建物の崩壊を抑制することができる。
【００２４】
しかも、柱１と梁２の接合に、アゴ掛け接合金物３のほか、第２接合金物４を用い、アゴ掛け板部３ａと第２接合金物４のプレート部４ｂとの間に粘性材７の層を形成するようにしているので、アゴ掛け板部３ａとプレート部４ｂとの間に粘性材７の層を備えさせたアゴ掛け接合金物３と第２接合金物４との複合金物９を使用して、上記のように柱１と梁２とを制振接合することが可能となり、柱梁接合部への粘性材７の組込みを施工容易に行うことができる。
【００２５】
もちろん、アゴ掛け板部３ａも、第２接合金物４のプレート部４ｂも、粘性材７も、梁２の端面に開くスリット８内に収められる構造を堅持しているので、柱梁接合部を外観上スッキリとしたものにすることができる。
【００２６】
なお、図１（ニ）に示すように、アゴ掛け接合金物３におけるアゴ掛け部３ｂを梁２の軸線方向に広くし、アゴ掛けピン５が梁２の軸線方向に遊び可能となるようにしておくのもよく、その場合は、アゴ掛けピン５の破断をより確実に防ぐことができる。また、図示しないが、アゴ掛け部３ｂの入口側を狭くして、アゴ掛けピン５を強制嵌合させてアゴ掛け部３ｂに嵌合させる構造にするのもよく、その場合は、アゴ掛け部３ｂからのアゴ掛けピン５の抜けを抑制的に防ぐことができる。
【００２７】
以上に、本発明の実施形態を示したが、本発明はこれに限られるものではなく、発明思想を逸脱しない範囲で各種の変更が可能である。例えば、上記の実施形態では、ロックピン６，６をアゴ掛けピン５に先行して破断させるため、ロックピン６に環状溝６ａを設けた場合を示したが、環状溝６ａなどの強度劣弱部を省略し、ロックピンを低降伏点鋼などのアゴ掛けピンよりも強度的に劣弱な材質で構成するようにしてもよいし、要は、ロックピンがアゴ掛けピンに先行して破断するようになっていればよい。
【００２８】
また、上記の実施形態の変形例として、図示しないけれども、上記の実施形態の接合構造において、アゴ掛け接合金物３からアゴ掛け部３ｂを省略すると共に、アゴ掛けピン５を省略し、上下のロックピン６，６の一方を第１ピン、もう一方を第２ピンとし、水平振動により第２ピンが第１ピンに先行して破断するように構成されていてもよい。
【００２９】
更に、上記の実施形態では、木造軸組構造の柱梁の接合に用いた場合を示したが、接合する柱梁は木に限らない。更に、第１発明の構造は、柱と梁端の接合に限らず、軸組構造を構成する軸組材同士の接合に広く用いることができるものである。
【図面の簡単な説明】
【００３０】
【図１】実施形態の制振接合構造を示すもので、図（イ）は一部断面正面図、図（ロ）は図（イ）のＩ−Ｉ線断面平面図、図（ハ）はアゴ掛け接合金物のアゴ掛け部にアゴ掛けピンが掛けられた状態の正面図、図（ニ）はアゴ掛け接合金物の他の例を示す正面図である。
【図２】図（イ）は接合部の分解斜視図、図（ロ）は複合金物の斜視図、図（ハ）は同複合金物の平面図である。
【図３】図（イ）及び図（ロ）は巨大地震時の接合部の挙動を示す一部断面正面図である。
【符号の説明】
【００３１】
１…柱（第１軸組材）
２…梁（第２軸組材）
３…アゴ掛け接合金物
３ａ…アゴ掛け板部
３ｂ…アゴ掛け部
４…第２接合金物
４ｂ…プレート部
５…アゴ掛けピン（第１ピン）
６…ロックピン（第２ピン）
７…粘性材（振動エネルギー吸収手段）
８…スリット
９…複合金物
【図１】
0004833627.tif 000002
【図２】
0004833627.tif 000003
【図３】
0004833627.tif 000004